(57)【特許請求の範囲】
【請求項１】
鍋を収容する調理器本体と、
前記鍋の上部を覆って、前記調理器本体にヒンジにより回動可能に構成された蓋体とを備え、
前記調理器本体の上端外周部と前記蓋体の下端外周部との間の間隙には、可撓性のある間隙緩衝体が、閉鎖隙間を有しながら配設されている、加熱調理器。
【請求項２】
請求項１において、前記間隙緩衝体が、断面視で前記加熱調理器の内側に向かって開口したＵ字形状をしている、加熱調理器。
【請求項３】
請求項１又は２において、前記間隙緩衝体が、前記調理器本体又は前記蓋体のいずれか一方に取り付けられ、いずれか他方の側面と部分的に重なるように延びるスカート部を有する、加熱調理器。
【請求項４】
請求項１から請求項３のいずれか１項において、前記間隙が、ヒンジのある後方側が前方側よりも幅広に寸法構成されている、加熱調理器。
【請求項５】
請求項１から請求項４のいずれか１項において、前記間隙緩衝体が、前記調理器本体又は前記蓋体に着脱自在に取り付けられている、加熱調理器。
【請求項６】
請求項５において、前記間隙緩衝体の着脱を検出するセンサが配設されている、加熱調理器。
【請求項７】
請求項１から請求項６のいずれか１項において、前記蓋体が、電動モータによって閉じられる、加熱調理器。
【請求項８】
請求項１から請求項７のいずれか１項において、前記間隙緩衝体が、平面視でヒンジのある後方側に向けて開口したＵ字形状をしている、加熱調理器。
【発明の詳細な説明】
【技術分野】
【０００１】
この発明は、鍋内にセットされた調理物を加熱して調理する加熱調理器に関する。
【背景技術】
【０００２】
例えば、特許文献１においては、鍋を収納する収納部が内側に設けられた調理器本体と、鍋の上面を覆う蓋体とを有する炊飯器が開示されている。蓋体は、調理器本体に対して開閉自在に構成されている。
【先行技術文献】
【特許文献】
【０００３】
【特許文献１】特開２０１５−３９５１６号公報
【発明の概要】
【発明が解決しようとする課題】
【０００４】
特許文献１に開示された炊飯器では、蓋体を軸支するヒンジ部に設けられたスプリングによって、蓋体が開放方向に付勢されている。調理器本体及び蓋体は、通常、樹脂成形によって作られており、剛体とみなすことができる。使用者が付勢力に抗して蓋体を押し下げることによって蓋体が閉じられる。蓋体を閉じる際に手指を調理器本体上端の外周付近である上端外周部及び蓋体下端の外周付近である下端外周部の隙間に誤って置いてしまうと、手指が剛体である調理器本体及び蓋体と干渉するおそれがある。従来の炊飯器には、手指の挟み込みによる、調理器本体及び蓋体に対する手指の意図しない干渉を生じさせないための特段の対策が施されていない。
【０００５】
したがって、この発明の解決すべき技術的課題は、調理器本体及び蓋体に対する手指の意図しない干渉を防止できる加熱調理器を提供することである。
【課題を解決するための手段】
【０００６】
上記技術的課題を解決するために、この発明によれば、以下の加熱調理器が提供される。
【０００７】
すなわち、この発明に係る加熱調理器は、
鍋を収容する調理器本体と、
前記鍋の上部を覆って、前記調理器本体にヒンジにより回動可能に構成された蓋体とを備え、
前記調理器本体の上端外周部と前記蓋体の下端外周部との間の間隙には、可撓性のある間隙緩衝体が配設されることを特徴とする。
【０００８】
この発明では、調理器本体１０の上端外周部と蓋体１１の下端外周部との間の間隙に、可撓性のある間隙緩衝体５０を配設することにより、調理器本体及び蓋体の間隙に手指が挟まれても、間隙緩衝体が柔軟に且つ弾性的に折れ曲がって、挟み込みを緩衝する部材として機能する。そのため、手指の挟み込みによる、調理器本体及び蓋体に対する手指の意図しない干渉を防止できるという効果を奏する。
【０００９】
前記間隙緩衝体が、断面視で前記加熱調理器の内側に向かって開口したＵ字形状をしていることが好ましい。このようにすれば、間隙緩衝体が、保形性を有することに加えて、Ｕ字形状で囲まれた部分によって間隙空間が形成されるので、手指の挟み込みのダメージを軽減できるとともに、保温性が向上する。
【００１０】
前記間隙緩衝体が、前記調理器本体又は前記蓋体のいずれか一方に取り付けられ、いずれか他方の側面と部分的に重なるように延びるスカート部を有することが好ましい。このようにすれば、スカート部によって、調理器本体又は蓋体のいずれか一方に取り付けた間隙緩衝体といずれか他方との間に隙間が生じても当該隙間を確実に隠すことができ、外観的にすっきりとしたデザインになり、審美性が向上する。
【００１１】
蓋体が押し下げられたとき、ヒンジから離れている部位ほど挟み込み力が小さくなるので、前方側の部位での間隙を狭くしても手指の挟み込みのダメージが小さくて済む。逆に、ヒンジのある後方側の部位での間隙を幅広にしておかないと、手指を挟み込んだときのダメージが大きくなってしまう。したがって、前記間隙が、ヒンジのある後方側が前方側よりも幅広に寸法構成されていることが好ましい。このようにすれば、前方側の部位での間隙が狭くなることで、前方が絞られた印象を観者に与え、外観的にすっきりとしたデザインになり、審美性が向上する。
【００１２】
前記間隙緩衝体が、前記調理器本体又は前記蓋体に着脱自在に取り付けられていることが好ましい。このようにすれば、間隙緩衝体を取り外して洗浄でき、間隙緩衝体を清潔な状態に保つことができる。
【００１３】
前記間隙緩衝体の着脱を検出するセンサが配設されていることが好ましい。このようにすれば、間隙緩衝体を取り外した状態で加熱及び調理が実行されることを防止できる。
【００１４】
前記蓋体が、電動モータによって閉じられることが好ましい。このようにすれば、蓋体の閉鎖動作を自動でスムーズに行わせることができる。
【００１５】
前記間隙緩衝体が、平面視でヒンジのある後方側に向けて開口したＵ字形状をしていることが好ましい。このようにすれば、手指の挟み込みが起こりやすい前方側の部位と両側面の部位とが、間隙緩衝体で確実に保護される。
【発明の効果】
【００１６】
この発明の加熱調理器では、間隙緩衝体が柔軟に且つ弾性的に折れ曲がるため、調理器本体及び蓋体に対する手指の意図しない干渉を防止できる。
【図面の簡単な説明】
【００１７】
【図１】この発明の一実施形態に係る加熱調理器を示し、蓋体を開放した状態を示す斜視図。
【図２】蓋体を閉鎖した状態を示す斜視図。
【図３】図２に示した加熱調理器において、間隙緩衝体を取り除いた状態を示す斜視図。
【図４】間隙緩衝体の斜視図。
【図５】間隙緩衝体の平面図。
【図６】図５に示した間隙緩衝体のＶＩ−ＶＩ矢視断面図。
【図７】蓋体に取り付けられた間隙緩衝体及びその周辺部を示す要部断面図。
【図８】加熱調理器のブロック図。
【発明を実施するための形態】
【００１８】
以下に、この発明の一実施形態に係る圧力炊飯器１について、図１から図８を参照しながら詳細に説明する。
【００１９】
図１は、一実施形態に係る圧力炊飯器（加熱調理器）１を示し、蓋体１１を開放した状態を示す斜視図である。図２は、蓋体１１を閉鎖した状態を示す斜視図である。
【００２０】
図１及び図２に示した圧力炊飯器１は、例えば誘導加熱によって加熱される調理用の鍋３を着脱可能に収容する炊飯器本体（調理器本体）１０と、該炊飯器本体１０に対して回動可能に配設された蓋体１１と、を備えている。
【００２１】
炊飯器本体１０は、筒形状をなす胴体１２と、該胴体１２の下端開口を閉塞する底体２２と、胴体１２の上端開口を覆うように取り付ける肩体３２と、を有する外装体を備えている。肩体３２の上部は、肩カバー３４で部分的に覆われている。肩体３２の外周上部は、胴飾り体３６で覆われている。肩体３２の下部には、鍋３の下部を加熱するヒータ（例えば、誘導加熱コイル）と、鍋３の温度を検出するための鍋温度センサとが配設されている。肩体３２の後方側には、蓋体１１を回動可能に装着するためのヒンジ接続部２１が設けられている。肩体３２の前方側には、蓋体１１のロック爪（フック）２３と係合する係合穴が設けられている。炊飯器本体１０内には、制御基板（不図示）が配設されている。なお、胴体１２の側面には、図示しないハンドルが取りつけられている。
【００２２】
蓋体１１は、炊飯器本体１０のヒンジ接続部２１に回動可能に取り付けられ、炊飯器本体１０に対して閉じられたとき、炊飯器本体１０の開口部を閉塞する。蓋体１１は、閉塞状態で鍋３の側に位置する内側部材２６と、内側部材２６の上部外側を覆う外側部材２５とを有する外装体を備える。内側部材２６には、放熱板１８と、蓋ヒータ（不図示）と、鍋３の上端開口を閉塞して着脱可能に取り付けられる内蓋（不図示）とが配設されている。なお、内蓋が蓋体１１に対して着脱可能である構成に限られず、内蓋が蓋体１１に対して離脱不可である構成であってもよい。
【００２３】
蓋体１１は、図３に示すように、外側部材２５の後方側に排気通路の出口である蒸気排出口１７を有する。蓋体１１の内部には、鍋３内の温度を検出する蓋体温度センサ（不図示）が配設されている。さらに、上パネル１４の前方側には、複数の入力スイッチを備える操作部１９と、動作状況や操作状況を表示する液晶表示パネル等の表示部１５とが配設されている。図８に示すように、この制御基板に実装されたマイコン５（制御部）によって、温度センサによる温度測定に基づいて、ヒータによる加熱（通電）が制御されている。また、操作部１９や表示部１５が、マイコン５（制御部）に接続されて、マイコン５（制御部）によってデータの入出力が制御されている。
【００２４】
蓋体１１の内側部材２６は、炊飯器本体１０の後方側に形成されたヒンジ接続部２１に回転可能に装着されている。閉鎖状態で内側部材２６の鍋３への対向位置には放熱板１８が配設される。そして、放熱板１８の上側面には、鍋３内を加熱する蓋ヒータ（不図示）が配設されている。
【００２５】
蓋体１１の外側部材２５の前方側には、蓋体１１を開放するための開放操作部材１６が配設され、その内部に炊飯器本体１０への閉鎖状態を維持するためのロック機構（不図示）が配設されている。外側部材２５の前方側には、蓋体１１を自動的に閉鎖するためのスイッチとして働く閉鎖操作部材１３が配設されている。炊飯器本体１０の後方側であって、ヒンジ接続部２１の下部には電動モータ７（図８に図示）が設けられている。閉鎖操作部材１３が押下されると、電動モータ７によって蓋体１１が閉鎖方向に駆動されて、蓋体１１が自動的に閉鎖される。当該構成によれば、蓋体１１の閉鎖動作を自動でスムーズに行うことができる。
【００２６】
炊飯器本体１０上端の外周付近である上端外周部３９と蓋体１１下端の外周付近である下端外周部３８との間の間隙Ａ，Ｂには、間隙緩衝体５０が配設されている。図１に示すように、間隙緩衝体５０が蓋体１１の下端外周部３８に取り付けられている。なお、間隙緩衝体５０は、炊飯器本体１０の上端外周部３９に取り付けられてもよく、炊飯器本体１０及び蓋体１１の両方に取り付けられてもよい。すなわち、間隙緩衝体５０が、炊飯器本体１０又は蓋体１１の少なくとも一方に取り付けられる。
【００２７】
図３に示すように、ヒンジのある後方側の間隙Ｂが、前方側の間隙Ａよりも幅広であるように寸法構成されている。このようにすれば、前方側の間隙Ａを狭く構成することで、前方が絞られた印象を観者に与え、外観的にすっきりとしたデザインになり、審美性が向上する。
【００２８】
前方側の間隙Ａは、左右の横方向においてほぼ一定の間隙サイズである。後方側の間隙Ｂは、前後方向において、前方側の間隙Ａと同程度の間隙サイズからスタートして、徐々に間隙サイズが大きくなったあと、ほぼ一定の間隙サイズになっている。前方側の間隙Ａ及び後方側の間隙Ｂは、当該間隙Ａ，Ｂに手指が挟まれても痛くないようなサイズに構成されている。この発明を限定しない数値を例示すると、前方側の間隙Ａのサイズは、５ｍｍから１０ｍｍであり、好ましくは７ｍｍから９ｍｍであり、より好ましくは７．５ｍｍから８．５ｍｍである。また、後方側の間隙Ｂのサイズは、１０ｍｍから２０ｍｍであり、好ましくは１２ｍｍから１８ｍｍであり、より好ましくは１４．５ｍｍから１５．５ｍｍである。
【００２９】
間隙緩衝体５０は、炊飯器本体１０の側面と蓋体１１の側面との間に形成される間隙Ａ，Ｂに装着されるように寸法構成されている。間隙緩衝体５０は、図５に示すように、平面視で、３辺を有するＵ字形状であって、ヒンジのある後方側に向けて開口した形状をしている。当該構成によれば、手指の挟み込みが起こりやすい前方側の部位と左右の両側面の部位とが、間隙緩衝体５０で保護されている。なお、間隙緩衝体５０は、ヒンジ接続部２１の近傍において横方向に延びる１辺をさらに備えて、平面視で、４辺を有する矩形形状であってもよい。
【００３０】
間隙緩衝体５０は、可撓性を有し、例えば、シリコーン系ゴムやフッ素系ゴムやウレタン系ゴム等のゴム材料やエラストマー材料等の高分子弾性体から構成されている。可撓性を有する間隙緩衝体５０は、手指が間隙Ａ，Ｂに挟まれたときに、柔軟に且つ弾性的に折れ曲がって、手指の挟み込みを緩衝する部材として機能する。そのため、手指の挟み込みによる、炊飯器本体１０及び蓋体１１に対する手指の意図しない干渉を防止できるという効果を奏する。
【００３１】
図６に示すように、間隙緩衝体５０は、断面視でＵ字形状であって、圧力炊飯器１の内側に向けて開口した形状をしている。間隙緩衝体５０は、Ｕ字形状を形成する、支持リブ部５４とベース部５２と補強リブ部５８とを有する。ベース部５２は上下の縦方向に延び、支持リブ部５４及び補強リブ部５８は、それぞれ、ベース部５２の上部及び下部から左右の横方向に延びている。当該構成によれば、間隙緩衝体５０が、保形性を有することに加えて、Ｕ字形状で囲まれた部分によって間隙空間５１が形成されている。間隙空間５１を備える間隙緩衝体５０は、中実体から構成される場合よりも手指の挟み込みによるダメージを軽減できる。また、間隙空間５１が断熱空間として働くので、保温性が向上する。
【００３２】
上方に突出して平面視でＵ字形状に延在する係合部５６が、支持リブ部５４の上面中央部に形成されている。係合部５６は、その側面に複数の係止突起５７を有し、蓋体１１の内側部材２６において、平面視でＵ字形状で溝状に形成された係合凹部２７に嵌挿される。係合部５６及び係合凹部２７の係合構造により、間隙緩衝体５０が蓋体１１に対して着脱自在に構成されている。当該構成によれば、間隙緩衝体５０を蓋体１１から取り外して洗浄でき、間隙緩衝体５０を清潔な状態に保つことができる。
【００３３】
炊飯器本体１０に対する間隙緩衝体５０の位置決めを容易にするため、係合部５６の内周部には、複数の位置決め突部５５が離間して配設されている。位置決め突部５５は、内側部材２６に形成された切欠（不図示）に係合する。したがって、間隙緩衝体５０を炊飯器本体１０の所定の位置に取り付けることができる。
【００３４】
図６の断面視において、ベース部５２と支持リブ部５４とが交わる部分では、上方に延在するカバー部５３が形成されている。図７の断面視において、カバー部５３は、蓋体１１の側面下端と重なって、蓋体１１の側面下端を覆い隠している。当該構成によれば、外観的にすっきりとしたデザインになり、審美性が向上する。
【００３５】
図６の断面視において、ベース部５２と補強リブ部５８とが交わる部分では、下方に延在するスカート部５９が形成されている。図７の断面視において、スカート部５９は、肩体３２の外周上部に取りつけられた胴飾り体３６の側面上端と重なって、胴飾り体３６の側面上端を覆い隠している。蓋体１１に取り付けられた間隙緩衝体５０のスカート部５９は、炊飯器本体１０の側面上端と重なるように延びている。なお、間隙緩衝体５０が炊飯器本体１０に取り付けられている場合、間隙緩衝体５０のスカート部５９は、蓋体１１の側面下端と重なるように延びている。
【００３６】
部品公差や組立公差の存在により、蓋体１１の閉鎖状態においても、実際的には、補強リブ部５８の下面と肩カバー３４の上面との間には、１ｍｍ前後の閉鎖隙間が形成される。スカート部５９を設けることによって、当該閉鎖隙間が隠される。このように、スカート部２９により、外観的にすっきりとしたデザインになり、審美性が向上する。また、スカート部２９によって、閉鎖空間を流れた熱流がそのまま横方向（略水平方向）に流れることが妨げられるので、保温性が向上する。
【００３７】
また、間隙緩衝体５０の着脱を検出する緩衝体検出センサ６０が、内側部材２６に設けられている。緩衝体検出センサ６０は、例えば、マイクロスイッチやリードスイッチ等の物理センサや、フォトインタラプタ等の光センサである。図８に示すように、緩衝体検出センサ６０が、マイコン５（制御部）に接続されて、マイコン５（制御部）によって各種ヒータの通電のＯＮ・ＯＦＦが制御されている。緩衝体検出センサ６０を備えることにより、間隙緩衝体５０を取り外した状態で不用意に加熱及び調理が実行されることを防止できる。
【００３８】
なお、この発明の理解を容易にするために、具体的な構成や数字を用いて説明したが、この発明は、上述した各実施形態の具体的な構成や数字に限定されるものではなく、特許請求の範囲に記載した内容を逸脱しない範囲で考えられる各種の変形例を含むことができる。
【００３９】
例えば、前方側の間隙Ａ及び後方側の間隙Ｂが、実質的に同じ間隙サイズであるように寸法構成してもよい。また、間隙緩衝体５０が、スカート部５９を有さないで、ベース部５２が補強リブ部５８で終端する態様であってもよい。また、間隙緩衝体５０が、支持リブ部５４及び補強リブ部５８を有さないで、厚みが幅広であってスポンジ状である多孔質のベース部５２から構成された態様であってもよい。また、補強リブ部５８の下面と肩カバー３４の上面との間には、閉鎖隙間が存在しなくて、補強リブ部５８の下面と肩カバー３４の上面とが当接する態様であってもよい。また、間隙緩衝体５０を取り外し不可の固定式とする態様であってもよい。この発明は、電動モータによって蓋体１１が自動的に閉鎖されるものや、蓋体１１が手動で閉鎖されるものに適用することができる。
【００４０】
上記実施形態では、加熱調理器としてお米を炊飯する圧力炊飯器を例に挙げて説明したが、他の調理物（例えば、ケーキ生地、パン、ヨーグルト、蒸し物）を加熱して調理する加熱調理器にも適用可能であり、同様の作用および効果を奏することができる。
【符号の説明】
【００４１】
１  圧力炊飯器（加熱調理器）
３  鍋
５  マイコン（制御部）
７  電動モータ
１０  炊飯器本体（調理器本体）
１１  蓋体
１２  胴体
１３  閉鎖操作部材
１４  上パネル
１５  表示部
１６  開放操作部材
１７  蒸気排出口
１８  放熱板
１９  操作部
２１  ヒンジ接続部
２２  底体
２３  ロック爪
２５  外側部材
２６  内側部材
２７  係合凹部
３２  肩体
３４  肩カバー
３６  胴飾り体
３８  下端外周部
３９  上端外周部
５０  間隙緩衝体
５１  間隙空間
５２  ベース部
５３  カバー部
５４  支持リブ部
５５  位置決め突部
５６  係合部
５７  係止突起
５８  補強リブ部
５９  スカート部
６０  緩衝体検出センサ
【図１】
0006538603.tif 000002
【図２】
0006538603.tif 000003
【図３】
0006538603.tif 000004
【図４】
0006538603.tif 000005
【図５】
0006538603.tif 000006
【図６】
0006538603.tif 000007
【図７】
0006538603.tif 000008
【図８】
0006538603.tif 000009